(57)【要約】【課題】門の外観に露見されない門屋根用排水装置を提供する。【解決手段】屋根を取り付けた門において、屋根周辺に幕板を取り付け、幕板の内側に雨樋を設け、屋根の平面矩形の二つの対角線のうち、一方の対角線上に存在する雨樋のコーナー部が他方の対角線上に存在する雨樋のコーナー部よりも低くなるように、雨樋に幕板の高さの範囲内で勾配を設け、一方の対角線上に存在する雨樋のコーナー部に設けてある雨水排出口に横樋の一端を接続し、その横樋を屋根の上面板と見上げ板との間の空間内を延長し、その横樋の他端を門柱内に設けた縦樋に連通させた。【選択図】      図１
2008184831.tif 000002
【特許請求の範囲】
【請求項１】
中門柱と第１門柱との間に両開き門扉を取り付けてなる車両用門と、前記中門柱と第２門柱との間に袖門扉を取り付けてなる通用門とを有し、門柱の上端部に屋根を取り付けた門における屋根用排水装置において、
前記中門柱の奥行き寸法を大きくし、その中門柱の道路側端部付近に前記車両用門を設けるとともに、その中門柱の家側端部付近に前記通用門を設けて、前記通用門を道路側からセットバックして、前記第２門柱を前記屋根の一つの角隅部に近い位置に設け、前記屋根に取付けられた雨樋の前記屋根の一つの角隅部に対応するコーナー部の雨水排出口に一端を結合した横樋の他端を、前記第２門柱の中に設けた縦樋に結合したことを特徴とする門の屋根用排水装置。
【請求項２】
屋根の周辺に幕板を取り付けるとともに、その幕板の内側に屋根の上面端部から落下する雨水を受け入れる雨樋を設け、屋根の平面矩形の二つの対角線のうち、一方の対角線上に存在する前記雨樋のコーナー部が他方の対角線上に存在する前記雨樋のコーナー部よりも低くなるように、前記雨樋に前記幕板の高さの範囲内で勾配を設け、前記一方の対角線上に存在する雨樋のコーナー部に設けてある雨水排出口に横樋の一端を接続するとともに、その横樋を前記屋根の上面板と見上げ板との間の空間内を延長し、その横樋の他端を第２門柱内に設けた縦樋に結合したことを特徴とする請求項１に記載の門の屋根用排水装置。
【請求項３】
各門柱は、門柱本体と、その門柱本体の外周に取り付けられて前記門柱本体との間に高さ方向に連続して縦樋を設けるための空間を形成するカバー材とからなり、
屋根は、見上げ板から下方に突出し、前記各門柱の門柱本体に連結される連結部材を有するとともに、第２門柱に対応する連結部材の近傍において横樋が前記見上げ板を貫通して下方に延長してあり、
屋根の連結部材を前記各門柱の門柱本体の上端部に接続する際に、前記横樋の端部と前記門柱の空間に設けられた縦樋とが結合されるように構成されていることを特徴とする請求項１又は２に記載の門の屋根用排水装置。
【発明の詳細な説明】
【技術分野】
【０００１】
本発明は、門における屋根用排水装置に関する。
【背景技術】
【０００２】
従来、門の屋根から雨水を地上に誘導して排水するためには、屋根の周辺に雨樋を取り付けるとともに、その雨樋の一端側よりも他端側が低くなるように勾配を設け、（１）その低い部分に形成した雨水排出口に縦樋の上端部を結合し、その縦樋を門柱の外側面に沿って地面まで延長するか、（２）縦樋に代えて、雨水排出口に導水チェーンの上端部を係止し、その導水チェーンを地面まで空中を垂下させるか、している。
【特許文献１】とくになし
【発明の開示】
【発明が解決しようとする課題】
【０００３】
しかしながら、上記の従来の門の屋根用排水装置は、屋根の周囲に勾配のついた雨樋が、また、屋根から地面までの間には縦樋又は導水チェーンが露見されるため、（ａ）屋根、門柱及び門扉の外観体裁が排水装置によって損なわれる、（ｂ）導水チェーンの場合は、強風などによって揺動され、騒音を発生したり、雨水が周辺に飛散する、等の問題があった。
そこで、門柱の中に縦樋を設けるとともに、雨樋とその縦樋とを横樋で連結するようにしたものも提案されている。しかし、この提案に係る従来の屋根用排水装置においては、雨樋のコーナー部から門柱までの距離が長いため、横樋が長いものとなる。しかし、その勾配は外観上の理由から小さくされているため、排水性が良くなく、その中にごみが溜まり易い。従って、ごみ点検の頻度が多く、ごみ排除も容易でないという問題があった。
【０００４】
両開き門扉が備えられた車両用門と袖門扉が備えられた通用門を有し、さらに屋根を有する門には、外観体裁を損なわない門屋根用排水装置が求められていた。
【０００５】
本発明は、その要望に応えるためになされたものである。すなわち、本発明の解決しようとする課題は、短い横樋の使用を可能にして、排水性が良く、ごみ点検の頻度を減らすことができる門屋根用排水装置を提供することにある。
【課題を解決するための手段】
【０００６】
上記課題を解決するため、本発明は、中門柱と第１門柱との間に両開き門扉を取り付けてなる車両用門と、前記中門柱と第２門柱との間に袖門扉を取り付けてなる通用門とを有し、門柱の上端部に屋根を取り付けた門における屋根用排水装置において、中門柱の奥行き寸法を大きくし、その中門柱の道路側端部付近に車両用門を設けるとともに、その中門柱の家側端部付近に通用門を設けて、通用門を道路側からセットバックして、第２門柱を屋根の一つの角隅部に近い位置に設け、屋根に取付けられた雨樋の前記角隅部に対応するコーナー部の雨水排出口に一端を結合した横樋の他端を、第２門柱の中に設けた縦樋に結合したことを特徴としている（請求項１）。
【０００７】
本発明による屋根用排水装置は、屋根の周辺に幕板を取り付けるとともに、その幕板の内側に屋根の上面端部から落下する雨水を受け入れる雨樋を設け、屋根の平面矩形の二つの対角線のうち、一方の対角線上に存在する前記雨樋のコーナー部が他方の対角線上に存在する雨樋のコーナー部よりも低くなるように、雨樋に幕板の高さの範囲内で勾配を設け、一方の対角線上に存在する雨樋のコーナー部に設けてある雨水排出口に横樋の一端を接続するとともに、その横樋を屋根の上面板と見上げ板との間の空間内を延長し、その横樋の他端を第２門柱内に設けた縦樋に結合した構成とすることができる（請求項２）。
【０００８】
また、本発明は、門柱が門柱本体とその門柱本体の外周に取り付けられて、門柱本体との間に高さ方向に連続して縦樋を設けるための空間を形成するカバー材とからなり、屋根が見上げ板から下方に突出し、前記門柱の門柱本体に連結される連結部材を有するとともに、その連結部材の近傍において横樋が前記見上げ板を貫通して下方に延長してあり、屋根の連結部材を門柱の門柱本体の上端部に接続する際に、横樋の端部と門柱の空間に設けられた縦樋とが結合されるように構成されていることを特徴としている（請求項３）。
【発明の効果】
【０００９】
請求項１の発明によれば、通用門を道路側からセットバックして、第２門柱を屋根の一つの角隅部に近い位置に設け、雨樋のコーナー部の雨水排出口に一端を結合した横樋の他端を、第２門柱の中に設けた縦樋に結合するようにしたので、横樋の長さを短くすることができ、従って、横樋は低コストのものを使用でき、かつ、門の外観を損なわないことができるばかりでなく、適度の勾配を付けやすいため、排水性が向上し、ごみが溜まる可能性も少ないから、ごみ点検の頻度を少なくすることができる。
【００１０】
また、請求項２の発明によれば、屋根の周辺に取り付けられた幕板の高さの範囲内で雨樋に勾配を設けてあり、雨樋の低い側のコーナー部にある雨水排出口に横樋の一端を接続するとともに、その横樋を屋根の見上げ板よりも上側における屋根内側を延長し、その横樋の他端を門柱内に設けた縦樋に連通させるから、排水装置を構成する雨樋、横樋及び縦樋のいずれも屋根と門柱の中に隠蔽されるため、排水装置によって門の優美な外観体裁が損なわれることがない。
また、請求項３の発明によれば、地面に立設した門柱の中に縦樋を容易に設置することができる。
【発明を実施するための最良の形態】
【００１１】
次に、本発明の実施の形態について、図面に基づいて説明する。
図１は本発明の一実施の形態に係る門の道路側から見た正面図、図２は同門の平面図、図３は図１の門の中央横断面図、図４は図１の門の横中央線に沿って上方を見た断面図、図５は図３の右側の門柱の拡大図、図６は図３の中門柱の拡大図、図７は門柱に取り付ける前の屋根の左側面図、図８は図１の門の左側面図、図９は図３のＸ−Ｘ線に沿った図１の門の断面図、図１０は図１の門の右側面図、図１１は図４の矢印Ｙ部分の拡大図、図１２は図７のＺ−Ｚ線断面図、図１３は屋根の周辺の枠材と雨樋と幕板の結合状態を示す断面図である。
【００１２】
図１において、Ｐ１，Ｐ２は両側に立設された第１門柱と第２門柱、Ｐ３はその中間に立設された中門柱である。Ｄ１，Ｄ２は第１門柱Ｐ１と中門柱Ｐ３にヒンジｈを介して家側に開かれるように取り付けられた両開き門扉であり、第１門柱Ｐ１、中門柱Ｐ３及び両開き門扉Ｄ１，Ｄにより車両用門が構成されている。また、Ｄ３は第２門柱Ｐ２にヒンジｈを介して家側に開かれるように取り付けられた袖門扉であり、第２門柱Ｐ２、中門柱Ｐ３及び袖門扉Ｄ３により通用門が構成されている。そして、車両用門と通用門とで一つの門が構成されている。
【００１３】
図３から明らかなように、本発明の好ましい実施の形態においては、門の両側の門柱Ｐ１，Ｐ２、すなわち、中門柱Ｐ３とともに車両用門を構成する第１門柱Ｐ１及び中門柱Ｐ３とともに通用門を構成する第２門柱Ｐ２の奥行き寸法（門扉の面に対して直交する方向の長さ寸法）は等しく、従来の門柱とほぼ同じであるのに対して、中門柱Ｐ３の奥行き寸法は門柱Ｐ１，Ｐ２の奥行き寸法よりも、一例として２〜４倍程度大きくしてある。そして、門柱Ｐ１，Ｐ２は地面に立設された中門柱Ｐ３の左右いずれかの側において地面に立設されるが、車両用門の第１門柱Ｐ１は中門柱Ｐ３の道路側部分を通る中門柱Ｐ３の長手方向に対して直角な線上において立設され、通用門の第２門柱Ｐ２は中門柱Ｐ３の家側部分を通る中門柱Ｐ３の長手方向に対して直角な線上において立設され、車両用門の門扉Ｄ１．Ｄ２は第１門柱Ｐ１と中門柱Ｐ３の道路側部分との間に設置され、通用門の門扉Ｄ３は第２門柱Ｐ２と中門柱Ｐ３の家側部分との間に設置されて、通用門は車両用門よりも家側にセットバックされている。
【００１４】
従って、通用門の門扉Ｄ３の前（道路側）に空所（以下、通用門前空所という場合がある）Ｓが形成され、中門柱Ｐ３の一方の側面がその通用門前空所Ｓに面している。
【００１５】
好ましい実施の形態においては、門柱Ｐ１，Ｐ２は、同一の構成部材を用いて同一構造に組み立てられている。代表的に図１、図３の第２門柱Ｐ２について、図５に基づいて一例を説明する。１は鋼鉄製の門柱本体であり、屋根の下面から地面ＧＬの下方に埋設される位置までの長さを有し、下端にアンカー１’が取り付けられている。その門柱本体１の正面側（道路側）と背面側（家側）の面には、形状は限定的ではないが、横転Ｌ型又は角Ｃ型の鉄鋼製の取付部材２，３が溶接又は固着具などにより固着されている。
【００１６】
各取付部材２，３には、門柱Ｐ２の正面側と背面側に共通な第１カバー材４が取り付けられ、その第１カバー材４を介して門柱Ｐ２の両側面に共通な第２カバー材５が取り付けられている。
【００１７】
第１カバー材４は、ほぼＵ字溝状の側面部材４ａと蓋部材４ｂとから構成されている。側面部材４ａは、溝４１の底部において取付部材２又は３にねじｎ1により固着される。 蓋部材４ｂは側面部材４ａの溝４１の開口を塞ぐように取り付けられる。側面部材４ａは、溝４１を形成する側壁の一方４２の先端に玉縁４３を有し、溝４１を形成する側壁の他方４４の先端に段状の固着部４５を有している。蓋部材４ｂは一端部に円弧角が１８０°以内の円弧状の係合部４６を、他端部に外側に開口する溝状の固着部４７を有している。また、蓋部材４ｂの背面にねじにより着脱自在に取り付けられている補助部材４ｃは先端に円弧部を有していて、その円弧部により係合部４６の円弧角を１８０°以上に延長させる役目を有している。
【００１８】
こうして、補助部材４ｃを蓋部材４ｂの背面にねじ止めする際に、補助部材４ｃの円弧部と係合部４６との間に玉縁４３を挟持し、その蓋部材４ｂを玉縁４３を中心に回動して、固着部４７を側面部材４ａの固着部４５に当接し、外側から蓋部材４ｂに装着してあるねじｎ２をねじ込むことにより、図１０に実線で示されているように側面部材４ａの溝の開口を遮蔽した状態で固定してある。従って、上記と逆の順序で、ねじｎ２を操作して、図５に鎖線で示すように蓋部材４ｂを開け、補助部材４ｃを取り外すことにより、蓋部材４ｂも側面部材４ａから分離して、側面部材４ａの溝４１を開放することができるようになっている。
【００１９】
第１カバー材４の両側の端部同士の間には、その端部同士を連続して門柱本体１の側面を被覆する第２カバー材５が取り付けられている。側面部材４ａには溝４１を形成する側壁４２，４４から溝４１の開口方向と逆方向に延出する脚片４８，４９が形成してあり、門柱本体１のそれぞれ同じ側面側に存在する脚片４８，４８；４９，４９に、第２カバー材５の両端部に形成されている外向きに開口する溝状の固着部５１の外側からねじｎ３をねじ込んで固着されている。
【００２０】
蓋部材４ｂは取り外し可能であるので、家側の第１カバー材４の蓋部材４ｂを取り外して溝４１を開放し、門柱本体１の家側面に固着された取付部材３に、門扉Ｄ３を門柱本体１に支持するためのヒンジｈの肘金具ｈ１をボルトナットなどの既知の固着具６により取り付けることができ、又は、門柱からの突出量の調整作業を容易に行うことができる。家側又は道路側の第１カバー材４の溝４１は、後述されるように、排水装置の縦樋２４の設置空間としても使用される。
【００２１】
家側の第１カバー材４の側面部材４ａには、門扉Ｄ３の取り付け側の側壁４４に、前記肘金具ｈ１を外部に突出させるための孔４１０が設けてあり、その孔には水密性を確保するためのパッキンｐが嵌着されている。車両用門の第１門柱Ｐ１の場合は、門扉Ｄ１用の肘金具ｈ１を外部に突出させるための孔は、側面部材４ａの図５と反対側の側壁４２に設けられる。
【００２２】
中門柱Ｐ３は、図３，６に示すように、中門柱Ｐ３が門柱Ｐ１，Ｐ２と共通の主要部に中門柱Ｐ３特有の部材を付加して、家側に延長して構成されている。すなわち、中門柱Ｐ３は、その道路側の部分に第２門柱Ｐ２の家側の第１カバー材４に蓋部材４ｂを取り付けない状態のものを用い、その第１カバー材４の側面部材４ａの両端部に中門柱Ｐ３特有の部材として、側面部材４ａの両端部からそれぞれ家側に延びる等幅の側面パネル８Ａ，８Ｂの道路側端部を固着し、かつ、それらの側面パネル８Ａ，８Ｂの家側端部の間に背面パネル８Ｃを固着してある。
【００２３】
上記のように、門柱Ｐ１，Ｐ２と中門柱Ｐ３の主要部を共通化することにより、門装置全体のコスト低減が図られている。
【００２４】
図６のｈ２は、車両用門に設けられる門扉Ｄ２を支持するヒンジの肘金具である。そして、通用門前空所Ｓに面する側面カバー材８Ｂの家側の端部には、通用門の門扉Ｄ３に対応する戸当たり部材９が固着されている。通用門の門扉Ｄ３には、既知の電気錠（図示せず）が設けられている。また、車両用門の両開き門扉Ｄ１，Ｄ２にも、電気錠が設けられる場合があり、さらにオートクローザが設けられる場合がある。
【００２５】
また、中門柱Ｐ３は、側面パネル８Ａ，８Ｂと背面パネル８Ｃとにより形成された中空部１０を有する。中門柱Ｐ３にこの中空部１０を設けることにより、通用門前の空所Ｓに面する側面パネル８Ｂに、図９，１０に示すように、郵便受け（ポスト）の投入口１１、インターホン１２、門扉に電気錠が設けられた場合は、その電気錠の解錠を行うための操作部などを収容したシークレットボックス１３を設けることを可能にしてある。シークレットボックス１３は、電気錠操作部を家人等関係者のみが操作でき、関係者以外の者が操作できないようにするため、開閉式の蓋やシャッターなどを有している。
【００２６】
このように、通用門の門扉Ｄ３の前に屋根Ｒで覆われた空所Ｓに面するパネル８Ｂに郵便受けの投入口１１やインターホン１２が設けてある場合は、郵便物等配達員は風雨や降雪や強風に晒されることなく郵便物等をポストに投入することができ、訪問者等はインターホン使用中や家人待機中に風雨、降雪から保護される。また、通用門前空所Ｓは道路からセットバックされているので、屋根Ｒで覆われているか否かに関わらず、通用門前空所Ｓにいる人は強風や道路を走行する車両からも保護される。屋根Ｒを備えている場合は、確実に風雨、降雪、直射日光などから保護される。
【００２７】
郵便受けは、中空部１０を投入口１１の上側と下側とで仕切る仕切材（図示せず）を側面パネル８Ａ，８Ｂの間に取り付けることにより構成しても良いし、中空部１０の中に既製のポストを取り付けても良い。そして、背面パネル８Ｃには郵便受けの側面に対応する位置において郵便物取出口が開設され、その郵便物取出口に、これを開閉する扉１４が設けられている。扉１４には必要により錠が取り付けられる。
【００２８】
郵便物取出口を中門柱Ｐ３の車両用門に面する側面パネル８Ａに設ける場合は、門扉Ｄ２が、とくに自動開放装置を有する場合は、郵便物を取出中の人に衝突する危険があるので好ましくないが、中門柱Ｐ３の背面に郵便物取出口を設ける場合は、このような危険がない。
【００２９】
図３，５，６中、７は門扉取り付け側の第２カバー材５、すなわち、肘金具ｈ１よりも道路側において固着された、門柱Ｐ１、中門柱Ｐ３と門扉Ｄ１，Ｄ２との間の隙間及び門柱Ｐ２と門扉Ｄ３との間の隙間が道路側から見えないようにする隙間隠し部材である。
【００３０】
屋根Ｒは、図２，４に示すように平面形状が矩形であり、通用門が車両用門よりも家側にセットバックしてある関係から、第１門柱Ｐ１は屋根の左端付近の奥行き方向ほぼ中央位置に存在するが、第２門柱Ｐ２は屋根の右端付近の奥行き方向中央よりも家側の端部に寄った位置に存在するように、門柱Ｐ１，Ｐ２，Ｐ３の上端部に載せて接続されている。屋根の形態は、屋根上面に降った雨が屋根周辺端部に流れるならば、寄せ棟でも良いし、陸屋根でも良い。図示の例は、僅かな勾配を有する陸屋根である。
【００３１】
この屋根Ｒには、下面に屋根組（図示せず）を隠蔽する見上げ板１４ｂが屋根の周辺に設けられた枠材１５を介して取り付けられている。また、屋根Ｒの下面には、各門柱Ｐ１，Ｐ２，Ｐ３に対応する位置に、下方に垂直に突出する断面矩形又はコ字形の３本の鉄鋼製の連結部材１６が設けてある。屋根Ｒを門柱Ｐ１，Ｐ２，Ｐ３に接続するには、連結部材１６を各門柱の門柱本体１の中空部に挿入し、門柱本体１と連結部材１６の両方の所定位置に形成されているねじ孔にボルト１７（図５参照）をねじ込むことにより、屋根Ｒが各門柱Ｐ１，Ｐ２，Ｐ３に固定される。連結部材１６のねじ孔は、ボルト貫通孔であってもよい。連結部材１６の下端は、門柱本体１の中空部への挿入が容易にできるように斜めに切断されている。
【００３２】
好ましくは、見上げ板１４ｂの下面に、これに当接又は近接される門柱Ｐ１，Ｐ２，Ｐ３の上端部と見上げ板１４ｂとの間の隙間を隠蔽する部材（チリ隠し）１８が取り付けられている。
【００３３】
屋根Ｒの周辺には、枠材１５の外側に幕板１９が取り付けられ、その幕板１９と枠材１５との間に雨樋設置用空間２０が形成されている。雨樋設置用空間２０は屋根Ｒの外周に沿って矩形に連続しており、ここに雨樋２１が取り付けられている。雨樋２１は、屋根外周の各コーナー部に対応する位置において雨樋コーナー部品２１Ｃ１，２１Ｃ２により結合されているが、屋根の平面矩形の二つの対角線のうち、第２門柱Ｐ２の上端部に近いコーナー部を通る一つの対角線上に位置する２か所の雨樋コーナー部品２１Ｃ２が、他の対角線上に位置する２か所の雨樋コーナー部品２１Ｃ１よりも低い位置に存在するように、雨樋に勾配を持たせて取り付けられている。すなわち、図２においては、右上側及び左下側のコーナー部品２１Ｃ２の方が右下側及び左上側のコーナー部品２１Ｃ１よりも低くされている。従って、屋根の周辺から雨樋２１に落下する雨水は、２か所の低いコーナー部品２１Ｃ２に向かって流れるようになっている。
【００３４】
そして、膜板１９は断面ほぼＬ字形に形成されて、必要に応じて外側面に化粧板１９ａが接合されている。膜板１９は、勾配を付けて設置されている雨樋２１（雨樋コーナー部品２１Ｃ１，２１Ｃ２を含む。）を隠蔽するほか、枠材１５をも隠蔽し、さらに、雨樋２１の下側に枠材１５との間に空間１４が残される程度の高さを有している。屋根の各コーナー部に位置する膜板１９の直角に近接する端部は、Ｌ型のコーナーキャップ１９ｂにより被覆されてている。
【００３５】
従って、図１に示されるように、屋根周辺には雨樋２１が露見されず、膜板１９により装飾されている。そして、雨樋の２か所の低いコーナー部品２１Ｃ２には、図７に示すように、雨水排水口２２が形成され、その雨水排水口２２に横樋２３の一端が結合されている。図１２に示すように、横樋２３は枠材１５を屋根の中、すなわち、屋根上面材１４ａと見上げ板１４ｂの間の空間１４ｃ内を延長され、門柱Ｐ２（又はＰ１）の門柱本体１の溝４１の上端面に対応する位置において見上げ板１４ｂに形成された孔から下方に延出され、その横樋２３は門柱Ｐ２の門柱本体１の溝４１の上部に挿入されて、横樋２３の他端が門柱の溝４１に設置されている縦樋２４の上端部に結合される。この横樋２３と縦樋２４の結合をした後、門柱Ｐ２の家側の第１カバー材４の蓋部材４ｂが取り付けられる。
【００３６】
雨樋２１の雨水排水口２２から屋根の空間１４ｃまでに落差がない場合は、つまり、雨樋コーナー部品２１Ｃ２の側面と空間１４ｃとがほぼ同じ高さに存在する場合は、上述のように、雨水排水口２２に横樋２３を直接結合することができるが、落差がある場合は、図１２に示すように、雨水排水口２２に１個又は２個のエルボ２５1，２５2を介して横樋２３を結合することとなる。
【００３７】
上記は図２の門柱Ｐ２に近い位置の雨樋コーナー部品２１Ｃ２の雨水排水口２２からの排水経路についての説明であるが、図２の門柱Ｐ１に近い位置の雨樋コーナー部品２１Ｃ２の雨水排水口からの排水経路は、その雨水排水口が門柱Ｐ１内に設けられた縦樋に同様のエルボ及び横樋により接続される。ただ、門柱Ｐ１から直近の雨樋コーナー部品２１Ｃ２までの距離が少し大きいので、やや長めの横樋が用いられる。
【００３８】
以上に説明したように、上記実施の形態においては、通用門がセットバックされて門柱Ｐ２が屋根の隅角部に近い位置に設けられ、雨樋のコーナー部と門柱Ｐ２内に設けられた縦樋との間を横樋により連結しているので、横樋は短く、従って、所要の勾配を取り易い。そのため、排水性が向上し、ごみが溜まりにくく、従って、点検の頻度を少なくすることができる。また、雨樋及びエルボ又は横樋が幕板に隠蔽され、また、縦樋が門柱内に設けられて、いずれも外部に露見されず、導水チェーンなども外部に設けられていないので、図１に示すように、門の外観体裁が非常に簡素美麗であり、従来と異なって優美な外観が雨樋、エルボ、縦樋又は導水チェーンなどによって損なわれることがない。
【図面の簡単な説明】
【００３９】
【図１】本発明の一実施の形態に係る門の道路側から見た正面図。
【図２】同門の平面図。
【図３】図１の門の中央横断面図。
【図４】図１の門の横中央線に沿って上方を見た断面図。
【図５】図３の左側の門柱の拡大図。
【図６】図３の中門柱の拡大図。
【図７】門柱に取り付ける前の屋根の左側面図。
【図８】図１の門の左側面図。
【図９】図３のＸ−Ｘ線に沿った図１の門の断面図。
【図１０】図１の門の右側面図。
【図１１】図４の矢印Ｙ部分の拡大図。
【図１２】図７のＺ−Ｚ線断面図。
【図１３】屋根の周辺の枠材と雨樋と幕板の結合状態を示す断面図。
【符号の説明】
【００４０】
Ｐ１            第１門柱
Ｐ２            第２門柱
Ｐ３            中門柱
Ｄ１，Ｄ２      両開き門扉
Ｄ３            袖門扉
Ｒ              屋根
Ｓ              空所（通用門前空所）
１              門柱本体
４１            溝（中空部）
１４ａ          屋根上面材
１４ｂ          見上げ板
１５            枠材
１６            連結部材
１９            幕板
２１            雨樋
２１Ｃ１，２１Ｃ２    雨樋コーナー部品
２２            雨水排出口
２３            横樋
２４            縦樋
２５1 ，２５2   エルボ
【図１】
2008184831.tif 000003
【図２】
2008184831.tif 000004
【図３】
2008184831.tif 000005
【図４】
2008184831.tif 000006
【図５】
2008184831.tif 000007
【図６】
2008184831.tif 000008
【図７】
2008184831.tif 000009
【図８】
2008184831.tif 000010
【図９】
2008184831.tif 000011
【図１０】
2008184831.tif 000012
【図１１】
2008184831.tif 000013
【図１２】
2008184831.tif 000014
【図１３】
2008184831.tif 000015